(57)【要約】【課題】使い勝手に優れることに加え、取付部である脚部の強度や剪断力を向上したり経年劣化を防ぎ易くする。【解決手段】把持部１に線状部材７を保持した状態で取付部２により被取付部８に装着される保持具である。要部は、複数の把持部１と、各把持部１の保持空間１３の一部を区画するよう把持部の一端に連結された支柱３と、各把持部１の自由端である他端に連結された取付部２と、各把持部１の他端を支柱３に連結可能にする係合手段４とを備え、係合手段４により把持部１の他端を支柱３に係合した連結状態で各把持部１が独立した保持空間１３を区画形成することを特徴としている。【選択図】図４
2015209890.tif 000002
【特許請求の範囲】
【請求項１】
把持部及び取付部を有し、前記把持部に線状部材を保持した状態で前記取付部によりパネル等の被取付部に装着される保持具であって、
複数の前記把持部と、前記把持部の保持空間の一部を区画するよう前記把持部の一端に連結された支柱と、前記把持部の自由端である他端に連結された前記取付部と、前記把持部の他端を前記支柱に連結可能にする係合手段とを備え、
前記係合手段により前記把持部の他端を前記支柱に係合した連結状態で前記各把持部が独立した保持空間を区画形成することを特徴とする線状部材の保持具。
【請求項２】
前記取付部は前記被取付部に設けられた孔部に挿入し係止可能な脚部であることを特徴とする請求項１に記載の線状部材の保持具。
【請求項３】
前記支柱に延設されて、前記取付部と協同して取付部剛性を保つ補強部を有していることを特徴とする請求項１又は２に記載の線状部材の保持具。
【請求項４】
前記脚部は、略筒を半割した樋形状からなると共に、前記連結状態において脚部同士の間に形成される空間内に前記補強部を収容することを特徴とする請求項３に記載の線状部材の保持具。
【請求項５】
前記把持部及び前記取付部は前記支柱を境としてほぼ対称となる位置に設けられていることを特徴とする請求項１から４の何れかに記載の線状部材の保持具。
【請求項６】
前記把持部内側に設けられて、前記保持空間に配置された前記線状部材を拘束可能にする押圧片部を有していることを特徴とする請求項１から５の何れかに記載の線状部材の保持具。
【請求項７】
前記把持部の下側に設けられて、前記被取付部に圧接可能な圧接片部を有していることを特徴とする請求項１から６の何れかに記載の線状部材の保持具。
【発明の詳細な説明】
【技術分野】
【０００１】
本発明は、線状部材を保持した状態で被取付部に装着するような場合に好適な線状部材の保持具に関する。なお、本明細書において、『線状部材』としては棒、管、ハーネス、チューブ、各種配線、それらに類似のものを含む広義な意味で使用している。
【背景技術】
【０００２】
対象の保持具は、特許文献１や２に開示されているごとく把持部及び取付部を有し、把持部に線状部材を保持した状態で取付部によりパネル等の被取付部に装着する構成である。図７（ａ）は特許文献１の保持具（クリップ）である。構造特徴は、開環した略リング形状の把持部（保持部）５−１と、該把持部の開環端付近から互いに反対方向へ突設されて使用時に被取付部に圧接する弾性突片７と、該把持部の開環端に夫々形成された取付部である半割れ脚部９ａ，９ｂと、該半割れ脚部に設けられた係止爪１３と、把持部内側に設けられて把持部内を複数の領域に区画するガイド部１７，１９とを備えている。使用時は、把持部内にあってガイド部１７，１９で区画される空間にチューブを配置し、半割れ脚部９ａ，９ｂ同士を重ねた状態から被取付部に設けられた円形孔部に押入して被取付部を係止爪１３と弾性突片７とで挟み込んだ状態に装着される。
【０００３】
図７（ｂ）は特許文献２の保持具（クリップ）である。構造特徴は、線状部材の外周に沿って把持する把持部１と、該把持部の両端部に形成された取付部である係着部５と、各係着部と把持部の端部との間に設けられた鍔部７と、各係着部の先端側に設けられた爪部６とを備えている。使用時は、把持部内の空間に線状部材を配置し、各係着部５を離間状態から重ねて把持部の内径を収縮した状態から、被取付部に設けられた矩形の孔部に押入して被取付部を爪部６と鍔部７とで挟み込んだ状態に装着される。
【先行技術文献】
【特許文献】
【０００４】
【特許文献１】特開２００２−２８６０１０号公報
【特許文献２】特開２０１２−１５７１８５号公報
【発明の概要】
【発明が解決しようとする課題】
【０００５】
上記各構造にあっては、まず、半割れ脚部同士又は係着部同士を被取付部の孔部に挿入するまでは半割れ脚部同士又は係着部同士が成形状態に離間して、把持部内に配置した線状部材が把持部内から外れ易いため、半割れ脚部同士又は係着部同士を指等で重ねた状態に維持しなければならず使い勝手が悪かった。この点は、線状部材が多数の保持具を用いて被取付部の複数箇所に拘束支持されるような仕様において顕著となる。
【０００６】
また、要求項目としては、把持部が複数あると共に、各把持部がそれぞれ独立した配置空間を形成していること、線状部材の径が異なっても各把持部内にがたつきなく安定保持できることが望まれている。加えて、特許文献１のごとく取付部として半割れ脚部を重ねる構成でも、脚部を被取付部に強固に固定したり脚部の変形や経年劣化を阻止するため脚部の強度や剪断力をより増大したい。
【０００７】
本発明の目的は、以上の背景から工夫されたもので、保持具構造として、使い勝手がよく、しかも上述した要求項目も必要に応じて満足できるようにすることにある。他の目的は以下の内容説明のなかで明らかにする。
【課題を解決するための手段】
【０００８】
上記目的を達成するため本発明は、把持部及び取付部を有し、前記把持部に線状部材を保持した状態で前記取付部によりパネル等の被取付部に装着される保持具であって、複数の前記把持部と、前記把持部の保持空間の一部を区画するよう前記把持部の一端に連結された支柱と、前記把持部の自由端である他端に連結された前記取付部と、前記把持部の他端を前記支柱に連結可能にする係合手段とを備え、前記係合手段により前記把持部の他端を前記支柱に係合した連結状態で前記各把持部が独立した保持空間を区画形成することを特徴としている。
【０００９】
以上の本発明は、請求項２〜７で特定したように具体化されることがより好ましい。
（ア）、前記取付部は前記被取付部に設けられた孔部に挿入し係止可能な脚部である構成である（請求項２）。
（イ）、前記支柱に延設されて、前記取付部と協同して取付部剛性を保つ補強部を有している構成である（請求項３）。
（ウ）、前記脚部は、略筒を半割した樋形状からなると共に、前記連結状態において脚部同士の間に形成される空間内に前記補強部を収容する構成である（請求項４）。
【００１０】
（エ）、前記把持部及び前記取付部は前記支柱を境としてほぼ対称となる位置に設けられている構成である（請求項５）。
（オ）、前記把持部内側に設けられて、前記保持空間に配置された前記線状部材を拘束可能にする押圧片部を有している構成である（請求項６）。
（カ）、前記把持部の下側に設けられて、前記被取付部に圧接可能な圧接片部を有している構成である（請求項７）。
【発明の効果】
【００１１】
請求項１の発明では、把持部に線状部材を保持した状態で取付部によりパネル等の被取付部に装着される保持具として、特許文献１や２に比べ以下のような点で優れている。
第１に、本発明の保持具は、図４（ｂ）や（ｃ）から分かるように係合手段により把持部の他端側を支柱に係合した連結状態で各把持部が独立した保持空間を区画形成する。これにより、この構造では、従来品のごとく被取付部の孔部に挿入しなくても係合手段により係合した後は取付部同士が成形状態に離間しないため、把持部に線状部材を拘束する操作と、取付部を被取付部に装着する操作とを分けて行うことができ、作業手順を改善したり使い勝手を向上できる。この利点は、線状部材が多数の保持具を用いて被取付部の複数箇所に拘束支持されるような仕様において顕著となる。
第２に、本発明の保持具は、複数の把持部が独立した保持空間を区画形成するため特許文献１と同様に多数の線状部材を的確に拘束支持でき、加えて把持部同士が各把持部の一端に連結された支柱の両側に配置されているため把持部に対する線状部材の拘束操作性を良好に維持できる。
【００１２】
請求項２の発明では、取付部が従来と同じく被取付部の孔部に挿入し係止可能な脚部であるため、被取付部に対して簡単かつ迅速に装着できる。
【００１３】
請求項３の発明では、図４に示されるごとく支柱に延設された補強部が取付部と協同して取付部の剛性を保つため、特に取付部又は脚部として半割部分を重ねる構成でも、脚部を被取付部に強固に固定したり脚部の変形や経年劣化を阻止するため脚部の強度や剪断力をより増大できる。
【００１４】
請求項４の発明では、図４に示されるごとく脚部が略筒を半割した樋形状からなると共に、前記連結状態において脚部同士の間に形成される空間内に補強部を収容するため、上記した脚部の強度や剪断力を外観を損なうことなく増大できる。
【００１５】
請求項５の発明では、図４に示されるごとく把持部及び取付部が支柱を境としてほぼ対称となる位置に設けられているため、各把持部に線状部材を最適な配置で保持できる。
【００１６】
請求項６の発明では、把持部の保持空間に配置された線状部材が把持部内に設けられた押圧片部により動きを規制されるため、特に、被取付部が振動を受け易いような場合に好適なものとなる。
【００１７】
請求項７の発明では、把持部の下側に設けられて被取付部に圧接可能な圧接片部を有しているため、例えば、図５や図６から推察されるごとく被取付部の厚さが異なったり部分的に変化する場合でも同じ保持具を同様に使用でき、汎用性を向上できる。
【図面の簡単な説明】
【００１８】
【図１】（ａ）は形態例の保持具を成形状態で示す斜視図、（ｂ）は（ａ）のＡ部拡大図である。
【図２】上記保持具の細部を示し、（ａ）は上面図、（ｂ）は正面図、（ｃ）は右側面図である。
【図３】（ａ）と（ｂ）は図２（ｂ）の矢印Ａ1とＡ2の方向から見た拡大図、（ｃ）は図２（ｂ）のＢ−Ｂ線拡大断面図、（ｄ）は図２（ｂ）のＣ−Ｃ線拡大断面図、（ｅ）は図２（ｂ）のＤ−Ｄ線拡大断面図である。
【図４】上記保持具の使用例を示し、（ａ）は右側の把持部に線状部材を拘束する操作要領を示す模式図、（ｂ）は更に左側の把持部に線状部材を拘束する操作要領を示す模式図、（ｃ）は各把持部に線状部材をそれぞれ拘束した状態を示す模式図である。
【図５】（ａ）と（ｂ）は図４（ｃ）の保持具を被取付部に装着した状態を示す正面図と左側面図である。
【図６】（ａ）と（ｂ）は図５の他の例として保持具を被取付部に装着した状態を示す正面図と左側面図である。
【図７】（ａ）及び（ｂ）は特許文献１と２の構造を示す説明図である。
【発明を実施するための形態】
【００１９】
以下、本発明の形態例について添付図面を参照しながら説明する。この説明では、保持具の構造を明らかにした後、使用例及び作動を詳述する。
【００２０】
（構造）形態例の保持具１は、樹脂の射出成形品であり、図１及び図４に示されるごとく線状部材７を保持する保持空間１３を形成している複数の把持部１と、各把持部１の一端に連結された支柱３と、各把持部１の自由端である他端に連結されてパネル等の被取付部８や９に装着される取付部としての脚部２と、各把持部１の他端を支柱３に係合により連結可能な係合手段４と、各把持部１の内側に設けられて保持空間１３に配置された線状部材７を拘束可能にする押圧片部５と、各把持部１の下側に設けられて被取付部８や９に圧接可能な圧接片部６とを一体に備えている。
【００２１】
また、保持具１は、図１及び図４（ａ）の成形状態において、両側の把持部１及び脚部２並びに圧接片部６などが支柱３を境としてほぼ対称となる位置に設けられている。各把持部１は、図４の（ｂ）や（ｃ）のごとく反対方向から支柱３に接近され、支柱３に対して対応する係合手段４を介して連結された状態で独立した保持空間２１３を区画形成する。
【００２２】
細部は以下の通りである。まず、支柱３は、垂直部３０及び水平部３１の略Ｔ形状からなる。垂直部３０は、下側に左右に弾性爪部３５を形成している接合部３３と、接合部３３の下側に連結板部３４を介して設けられた補強部３６とを一体に有している。水平部３１の上面には３つのリブ３２が等間隔に設けられている。垂直部３０及び水平部３１には、図４に示されるごとく内面の板幅中間に沿って設けられた円弧状のリブ３０ａが設けられている。リブ３０ａの円弧状は、各把持部１内に配置可能な最大径の線状部材に対応している。
【００２３】
接合部３３には、図１（ｂ）及び図３（ｄ）に示されるごとく両側に係合手段５を構成している弾性爪部３５が左右対称に設けられている。各爪部３５は、上下スリット３３ａ及び背面の欠肉部３３ｃにより水平方向に揺動可能に設けられている。符号３３ｂは、接合部３３の左右にあって各爪部３５の基端側の箇所を欠肉した凹部である。補強部３６は、細長い板状をなし、先端３６ａが丸み形状となっていると共に、前後面が両縁を除いて一段低い凹部３７に形成されている。
【００２４】
各把持部１は、支柱３を挟んで左右対称に設けられると共に、支柱３に向けて開口した略コ形状となっている。換言すると、各把持部１は、支柱３に連結している一端側の上板部１０と、中板部１１と、自由端である他端側の下板部１２とにより略コ形の保持空間１３を区画形成している。上板部１０は、薄肉ヒンジ部１０ａを介して水平部３１の対応端に連結されている。上板部１０の上面には、リブ３２より高いリブ１４が板幅方向に突設されている。下板部１２の内面には押圧片部５が突設されている。この押圧片部５は、下板部１２の中板部１１に近い箇所より斜めに突出されており、先端がヒンジ部１０ａとの間に所定の隙間を保っている。なお、押圧片部５の先端は、少し太くかつ線状部材７や７Ａの円周に線接触可能な形状に形成されている。
【００２５】
各把持部の下板部１２には、脚部２が下面先端側に連結されていると共に、圧接片部６が下面中間から後端側に連結されている。すなわち、各脚部２は、略円筒を半割した樋形状の半割れ筒２０からなる。各半割れ筒２０は、先端２０ａが少し細くテーパー部であり、内周２１が半割れ筒同士を重ねた状態で補強部３６を収容可能な大きさの凹形状となっている。また、各半割れ筒２０は、長手方向の略中間に設けられた弾性爪部２４と、半割れ筒同士を連結する連結手段２２とを有している。爪部２４は、略コ形のスリット２３により区画されて、半割れ筒２０の外周面に突出された状態から内側へ弾性的に出没可能となっている。連結手段２２は、図１と図２の各（ａ）に示されるごとく一方の半割れ筒２０の先端面に設けられた凸部２５と、他方の半割れ筒２０の先端面に設けられて凸部２５と係脱する凹部２６とからなる。
【００２６】
以上の各脚部２、つまり各半割れ筒２０は、上枠部２７を介して各把持部の下板部１２に連結されている。上枠部２７は、両側壁及び半割れ筒の外周と同方向にある奥壁で区画されて、半割れ筒の内周２１と同方向の側及び下板部１２から外れる支柱３に近い側が開口している。前記両側壁のうち、支柱３に近い側の側壁は上角部が切り欠かれてテーパー部２７ａとなっている。また、支柱３に近い側の側壁及び奥壁には対応する爪部３５が係合する係合孔２８が設けられている。係合孔２８は、爪部３５と共に係合手段４を構成している。そして、この形態例では、例えば右側の脚部２がヒンジ部１０ａを支点として図４（ａ）の矢印方向に回動され、係合孔２８に左側の爪部３５が係合することで右側の把持部１が独立した保持空間１３つまり枠状に閉じられた保持空間１３を区画形成する。
【００２７】
一方、各圧接片部６は、下板部１２の下面にあって板幅の一端から他端下方に延び、先端６ａが少し丸められている。すなわち、圧接片部６は、下板部１２の下面で板幅の一端に沿って下設された垂直状の基部６ｂを有している。基部６ｂは前記した奥壁と連続している。符号６ｃは下板部１２と基部６ｂとの間に設けられた補強用のリブである。
【００２８】
（使用例及びその作動）次に、以上の保持具の使用例及び作動特徴を明らかにする。
（１）図４及び図５は、２以上の線状部材７が車両のトランスミッション等の機構部付近に配線されている場合を想定し、上記の保持具を多数用いて各線状部材７の複数箇所をパネル等の被取付部８の対応部に拘束支持する例を示している。なお、被取付部８には、各保持具の脚部２を挿入し係止する孔部８ａが予め決められた箇所に設けられているものとする。
【００２９】
（２）操作手順としては、まず、各線状部材７のうち、上記の各保持具で拘束支持する箇所を把持つまりクランプ操作する。この操作要領は、例えば、成形状態の保持具を手で持って図４（ａ）に示されるごとく、下板部１２と支柱３との間の開口より線状部材７を一方把持部１の内側つまり保持空間１３に挿入する。その際、線状部材７の径が大きい場合は、その把持部１が一点鎖線で示したごとくヒンジ部１０ａを支点として支柱３から離れる方向へ回動されて下板部１２と支柱３との間の開口が押し広げられる。
【００３０】
（３）一方把持部１は、線状部材７を保持空間１３に挿入した後、ヒンジ部１０ａを支点として同図の矢印方向、つまり支柱３側へ回動操作される。この操作では、脚部上側の上枠部２７の内側に接合部３３を入り込むようにすると、接合部３３の対応爪部３５が係合孔２８と係合つまり係合手段４が係合する。同時に、脚部２同士は、一方脚部の凸部２５と他方脚部の凹部２６つまり連結手段２２も係合して一体物となる。
【００３１】
（４）これにより、この構造では、図４（ｂ）に示されるごとく係合手段４により一方把持部１の他端（下板部１２を）が支柱３に係合した連結状態となり、その結果、当該把持部１が独立した閉じた保持空間１３となる。また、線状部材７は、保持空間１３内にあって、下板部１２の上面に載置されると共に、押圧片部５により支柱３つまりの円弧状のリブ３０ａ側に押されて不動状態に拘束保持される。従って、以上の保持具は、線状部材７が保持空間１３内で押圧片部５により動きが規制されるため、特に、被取付部８が振動を受け易いような場合に好適なものとなる。
【００３２】
（５）図４（ｂ）及び（ｃ）は、他方把持部１に他の線状部材７を拘束保持する場合を示している。この操作も上記一方把持部１の場合と同様である。ところで、以上の保持具では、線状部材７として径が異なっても、保持空間１３内に設けられた押圧片部５の変位により常に線状部材の動きを規制できる。図６はその一例として、他方把持部１に対して線状部材７より径の太い線状部材７Ａを拘束保持した状態を示している。押圧片部５は、線状部材が太くなるほど垂直に近づくよう弾性変位し、その変位力に比例した強さで線状部材を支柱３つまりの円弧状のリブ３０ａ側に押圧することになる。
【００３３】
また、以上の保持具では、図４（ｃ）のごとく把持部１及び取付部である脚部２が支柱３を境としてほぼ対称となる位置に設けられているため、各把持部１に対して線状部材７を最適な安定した配置で保持できる。しかも、各把持部１に線状部材７を拘束保持した状態において、両側の脚部２が重ねられて円筒状となり、かつ脚部２同士の間に形成される空間内に補強部３６を目視不能に収容するため、外観特性も損なうことなく取付部である脚部２の強度や剪断力を増大できる。
【００３４】
（５）図５（ａ）及び（ｂ）は、以上のようにして線状部材を拘束保持した保持具を被取付部８に設けられた対応する孔部８ａに装着した状態で示している。すなわち、以上の保持具は、図４（ｃ）のごとく両脚部２が円筒状に重ねられた状態で線状部材７が把持部１に拘束保持されているため、後は両脚部２を一体物として被取付部７の対応する孔部８ａに挿入するだけで抜け止め係止されて装着される。すなわち、各脚部２は、孔部８ａに対し細くなった先端２０ａから挿入すると、爪部２４が孔部８ａに当たる。そこで、保持具を下向きに押圧する。すると、各脚部２は、爪部２４が縮径し（補強部３６の凹部３７側に没し）つつ、孔部８ａを通過し、通過後は元の状態に復帰して抜け止め状態となる。この抜け止め状態では、圧接片部６と爪部２４との間に被取付部８を挟持しているため、保持具としては安定支持される。
【００３５】
（６）図６（ａ）及び（ｂ）は、被取付部９が図５の被取付部８の厚さよりも厚い寸法の場合を示している。この使用例でも、各脚部２は、爪部２４が縮径し（補強部３６の凹部３７側に没し）つつ、孔部９ａを通過し、通過後は元の状態に復帰して抜け止め状態となる。この抜け止め状態では、圧接片部６が被取付部５の厚さに比例して傾き角を減じた状態で、圧接片部６と爪部２４との間に被取付部８を挟持しているため、保持具としてはより安定支持されることになる。
【００３６】
なお、本発明の保持具は、請求項で特定される構成を備えておればよく、細部は形態例を参考にして変更可能なものである。その一例として、支柱としては水平部のリブを省いたり補強部を省略して簡易化することも可能である。
【符号の説明】
【００３７】
１・・・把持部（１０は上板部、１１は中板部、１２は下板部）
２・・・脚部（取付部、２０は半割れ筒、２１は内周、２４は爪部）
３・・・支柱（３０は垂直部、３１は水平部、３３は接合部）
４・・・係合手段（３５は爪部、２８は係合孔）
５・・・押圧片部（１７ａは傾斜面）
６・・・圧接片部（６ａは先端）
７，７Ａ・・・線状部材
８，９・・・被取付部（８ａ，９ａは孔部）
１０ａ・・・ヒンジ部
２２・・・連結手段（２５は凸部、２６は凹部）
３６・・・補強部（３７は凹部、３６ａは先端）
【図１】
2015209890.tif 000003
【図２】
2015209890.tif 000004
【図３】
2015209890.tif 000005
【図４】
2015209890.tif 000006
【図５】
2015209890.tif 000007
【図６】
2015209890.tif 000008
【図７】
2015209890.tif 000009